(57)【要約】【課題】  排熱量の増大、異物の侵入抑制ならびに光漏れの抑制を併せて実現することが可能な表示装置を提供する。【解決手段】  光学機構（光源）において発生した熱を排熱するための排熱機構として、筐体１に設けられた排熱口１Ｅに、その光学機構において発生した熱Ｈの排熱経路を確保すると共に排熱方向Ｄから見たときに排熱口１Ｅを視覚的に塞ぐように排熱板２３（主排熱板２３Ａ，補助排熱板２３Ｂ１，２３Ｂ２）が配設されている。排熱口１Ｅに基づく排熱量が十分に増大し、排熱口１Ｅを経由した異物の侵入が十分に抑制され、排熱口１Ｅを通じた光漏れが十分に抑制されるため、排熱量の増大、異物の侵入抑制ならびに光漏れの抑制が併せて実現される。【選択図】    図２
2005338283.tif 000002
【特許請求の範囲】
【請求項１】
筐体に、映像を表示する光学機構と、この光学機構において発生した熱を排熱する排熱機構とを備えた表示装置であって、
前記排熱機構が、
前記筐体に設けられた排熱口を通じて、前記光学機構において発生した熱を所定の排熱方向に向けて排熱する排熱ファンと、
前記光学機構において発生した熱の排熱経路を確保すると共に前記排熱方向から見たときに前記排熱口を視覚的に塞ぐようにその排熱口に配設された排熱板と、を含んで構成されている
ことを特徴とする表示装置。
【請求項２】
前記排熱機構が、さらに、前記排熱ファンと前記排熱口との間に配設され、前記光学機構において発生した熱を前記排熱口へ導くための排熱ダクトを含んで構成されている
ことを特徴とする請求項１記載の表示装置。
【請求項３】
前記排熱板が、
主排熱板と、
この主排熱板に対応する箇所に、前記光学機構において発生した熱の排熱経路を確保するための開口が設けられていると共に、前記排熱方向において前記主排熱板に対してずれた位置に、その排熱方向から見たときに前記主排熱板と共に前記排熱口を視覚的に塞ぐように配置された補助排熱板と、を含んで構成されている
ことを特徴とする請求項１記載の表示装置。
【請求項４】
前記排熱板が、前記補助排熱板を複数含んで構成されており、
各補助排熱板が、互いに異なる大きさを有し、かつ前記主排熱板に対応する箇所に互いに異なる大きさの前記開口が設けられていると共に、前記排熱方向において互いにずれた位置に、その排熱方向から見たときに互いに組み合わされることにより前記主排熱板と共に前記排熱口を視覚的に塞ぐように配置されている
ことを特徴とする請求項３記載の表示装置。
【請求項５】
前記補助排熱板が、前記排熱方向において前記主排熱板に対して前記筐体の内部側に後退して配置されている
ことを特徴とする請求項３記載の表示装置。
【請求項６】
前記主排熱板が、前記排熱方向において前記排熱口に対応する位置に配置されている
ことを特徴とする請求項５記載の表示装置。
【請求項７】
前記主排熱板が、前記排熱方向において前記排熱口よりも前記筐体の外部側に突出して配置されている
ことを特徴とする請求項５記載の表示装置。
【請求項８】
前記排熱機構が、さらに、前記排熱板を支持する支持体を備え、
前記支持体が、前記主排熱板を支持する主支持部と、前記補助排熱板を支持する補助支持部とを含んで構成されている
ことを特徴とする請求項３記載の表示装置。
【請求項９】
さらに、前記支持体のうちの前記主支持部および前記補助支持部を前記排熱方向に沿って移動させる駆動機構を備え、
前記駆動機構が、前記主排熱板および前記補助排熱板を互いに離間させることにより前記光学機構において発生した熱の排熱経路が確保される第１の位置と、前記主排熱板および前記補助排熱板を互いに接触させることにより前記光学機構において発生した熱の排熱経路が閉塞される第２の位置との間において、前記主支持部および前記補助支持部を移動させるものである
ことを特徴とする請求項８記載の表示装置。
【請求項１０】
さらに、前記駆動機構を制御する制御機構を備え、
前記制御機構が、前記光学機構の稼働時に前記駆動機構を介して前記主支持部および前記補助支持部を前記第１の位置に移動させると共に、前記光学機構の停止時に前記駆動機構を介して前記主支持部および前記補助支持部を前記第２の位置に移動させるものである
ことを特徴とする請求項９記載の表示装置。
【請求項１１】
さらに、前記光学機構の温度を検出する温度センサを備え、
前記制御機構が、前記温度センサにおいて検出される温度に基づいて前記光学機構の稼働状態を判断することにより、前記駆動機構を介して前記第１の位置または前記第２の位置へ前記主支持部および前記補助支持部を移動させる
ことを特徴とする請求項１０記載の表示装置。
【請求項１２】
前記光学機構が、光源から放出された光を液晶パネルを利用して映像用の光に変換し、その映像用の光を投射することにより映像を表示するものである
ことを特徴とする請求項１記載の表示装置。
【発明の詳細な説明】
【技術分野】
【０００１】
本発明は、映像を表示する表示装置に係り、特に、映像表示用の光学機構において発生した熱を排熱する排熱機構を備えた表示装置に関する。
【背景技術】
【０００２】
近年、映像を表示する表示装置として、多様な表示機構を有するものが知られている。この表示装置として、最近では、例えば、被投射体（例えばスクリーン）に映像用の光を投射することにより映像を表示する投射型表示装置（いわゆるプロジェクタ）が普及しつつある。
【０００３】
このプロジェクタは、主に、筐体に、映像を表示する光学機構と、この光学機構に基づいて発生した熱を排熱する排熱機構とを備えている。この光学機構は、光を放出するために発光する光源として、例えば高圧水銀ランプに代表されるＵＨＰ（ultra high pressure ）ランプを含んで構成されている。また、排熱機構は、光学機構（光源）の発光現象に基づいて発生した熱を排熱する排熱ファンを含んで構成されており、この排熱ファンは、筐体に設けられた排熱窓を通じて、その筐体の内部から外部へ熱を排熱するようになっている。この排熱窓は、一般に、複数の微細な排熱口が設けられた格子窓状構造を有している。この種のプロジェクタでは、上記した排熱機構の排熱作用を利用することにより、筐体の内部に不要な熱が滞留することに起因して発生する熱的な不具合、例えば光学部品の変形や性能劣化などを防止している。
【０００４】
この排熱機構を備えたプロジェクタに関しては、既にいくつかの構成例が提案されている。具体的には、例えば、排熱方向に対して傾いて配置された複数の回転羽根を有する特殊シロッコファンを排熱ファンとして搭載したプロジェクタが知られている（例えば、特許文献１参照。）。このプロジェクタでは、上記した特徴的な構造を有する特殊シロッコファンを使用することにより、不要な熱を効率よく排熱することが可能である。
【特許文献１】特開２００３−２４１３１３号公報
【発明の開示】
【発明が解決しようとする課題】
【０００５】
ところで、プロジェクタを安定に稼働させるためには、上記したように、例えば光学部品の変形や性能劣化に代表される熱的な不具合の発生を防止する上で、排熱機構の排熱作用を利用することにより筐体の内部に滞留している不要な熱を排熱口を経由して十分に排熱するために、その排熱口の開口面積（すなわち排熱量）を可能な限り増大させる必要がある。この場合には、特に、排熱口の開口面積を増大させる一方で、プロジェクタの稼働時に異物の存在に起因して予期せぬ不具合（例えばショート等）が発生することを防止する観点から、その排熱口を通じて例えば大気中の塵などの異物が筐体の内部に侵入することを可能な限り抑制する工夫が必要であると共に、プロジェクタを使用するユーザの使い勝手を考慮すれば、プロジェクタの稼働時に排熱口を通じて意図せずに光が漏れることを可能な限り抑制する工夫も必要である。
【０００６】
しかしながら、従来のプロジェクタでは、上記した排熱量の増大、異物の侵入抑制ならびに光漏れの抑制に関する複合的な観点において、未だ改善の余地がある。したがって、プロジェクタの稼働安定性およびそのプロジェクタに関するユーザの使い勝手の双方を考慮すれば、プロジェクタに関して排熱量の増大、異物の侵入抑制ならびに光漏れの抑制を併せて実現することが可能な技術の確立が急務である。
【０００７】
本発明はかかる問題点に鑑みてなされたもので、その目的は、排熱量の増大、異物の侵入抑制ならびに光漏れの抑制を併せて実現することが可能な表示装置を提供することにある。
【課題を解決するための手段】
【０００８】
本発明に係る表示装置は、筐体に、映像を表示する光学機構と、この光学機構において発生した熱を排熱する排熱機構とを備えたものであり、排熱機構が、筐体に設けられた排熱口を通じて、光学機構において発生した熱を所定の排熱方向に向けて排熱する排熱ファンと、光学機構において発生した熱の排熱経路を確保すると共に排熱方向から見たときに排熱口を視覚的に塞ぐようにその排熱口に配設された排熱板とを含んで構成されているものである。
【０００９】
本発明に係る表示装置では、光学機構において発生した熱を排熱するための排熱機構として、筐体に設けられた排熱口に、その光学機構において発生した熱の排熱経路を確保すると共に排熱方向から見たときに排熱口を視覚的に塞ぐように排熱板が配設されているため、筐体に格子窓状の排熱窓が設けられていた従来の場合とは異なり、排熱口を通じた排熱量が十分に増大し、排熱口を経由した異物の侵入が十分に抑制され、排熱口を通じた光漏れが十分に抑制される。
【００１０】
なお、本発明に係る表示装置では、排熱板が、主排熱板と、この主排熱板に対応する箇所に光学機構において発生した熱の排熱経路を確保するための開口が設けられていると共に、排熱方向において主排熱板に対してずれた位置にその排熱方向から見たときに主排熱板と共に排熱口を視覚的に塞ぐように配置された補助排熱板とを含んで構成されているのが好ましい。この場合には、排熱板が補助排熱板を複数含んで構成されており、各補助排熱板が、互いに異なる大きさを有し、かつ主排熱板に対応する箇所に互いに異なる大きさの開口が設けられていると共に、排熱方向において互いにずれた位置にその排熱方向から見たときに互いに組み合わされることにより主排熱板と共に排熱口を視覚的に塞ぐように配置されていてもよい。
【発明の効果】
【００１１】
本発明に係る表示装置によれば、光学機構において発生した熱を排熱するための排熱機構として、筐体に設けられた排熱口にその光学機構において発生した熱の排熱経路を確保すると共に排熱方向から見たときに排熱口を視覚的に塞ぐように排熱板が配設されている構造的特徴に基づき、排熱口を通じた排熱量が十分に増大し、排熱口を経由した異物の侵入が十分に抑制され、排熱口を通じた光漏れが十分に抑制されるため、排熱量の増大、異物の侵入抑制ならびに光漏れの抑制を併せて実現することができる。
【発明を実施するための最良の形態】
【００１２】
以下、本発明の実施の形態について、図面を参照して詳細に説明する。
【００１３】
［第１の実施の形態］
まず、図１を参照して、本発明の第１の実施の形態に係る表示装置の構成について説明する。図１は、表示装置の断面構成を模式的に表している。なお、以下では、図１に示したＹ軸方向における下側を「前側」または上側を「後側」と表記し、Ｚ軸方向における手前側を「上側」または奥側を「下側」として表記する。この表記は、後述する図２以降でも同様である。
【００１４】
本実施の形態に係る表示装置は、例えば、被投射体（例えばスクリーン）に映像用の光を投射することにより映像を表示する投射型表示装置（いわゆるプロジェクタ）であり、より具体的には、光源から放出された光を液晶の駆動機構（液晶パネル）を利用して映像用の光に変換する液晶プロジェクタである。
【００１５】
この表示装置は、例えば、図１に示したように、筐体１に、映像を表示する光学機構１０と、この光学機構１０に基づいて発生した熱を排熱する排熱機構２０とを備えている。
【００１６】
筐体１は、上記した光学機構１０および排熱機構２０を含む一連の光学機器や光学部品を収納するためのものである。この筐体１の前面には、例えば、光学機構１０のうちの後述する光学ユニット１０Ｂに対応する箇所に映像投射用の円形の投射窓１Ｐが設けられていると共に、排熱機構２０のうちの後述する排熱ファン２１に対応する箇所に排熱用の円形の排熱口１Ｅが設けられている。
【００１７】
光学機構１０は、例えば、光発生源としての光源ユニット１０Ａと、この光源ユニット１０Ａから放出された光Ｌ１を映像用の光Ｌ２に変換する光学ユニット１０Ｂとを含んで構成されている。
【００１８】
光源ユニット１０Ａは、例えば、光Ｌ１として白色光を放出するものであり、その光Ｌ１を放出するために発光する光源１１を含んで構成されている。この光源１１は、例えば、高圧水銀ランプなどのＵＨＰ（ultra high pressure ）ランプにより構成されている。なお、光源ユニット１０Ａは、例えば、上記した光源１１と共に、集光用のレンズ群や偏光用の偏光板などの図示しない他の構成要素も含んで構成されている。
【００１９】
光学ユニット１０Ｂは、例えば、光源ユニット１０Ａから放出された光Ｌ１の光路上に配置された３つのミラー、すなわち光源ユニット１０Ａから遠い順に配置された反射ミラー１２Ｒおよびダイクロイックミラー１２Ｇ，１２Ｂと、反射ミラー１２Ｒおよびダイクロイックミラー１２Ｂにそれぞれ対応して配置された反射ミラー１３，１４と、色合成用の色合成装置１５と、映像投射用の投射レンズ１６とを含んで構成されている。
【００２０】
ダイクロイックミラー１２Ｇ，１２Ｂは、光源ユニット１０Ａから放出された光Ｌ１の光路に対してミラー面が傾くように配置されることにより波長分離用のハーフミラーとして機能するものであり、その光Ｌ１のうちの特定の色（波長）の光を選択的に分離して反射させると共に残りの色（波長）の光を選択的に透過させるものである。具体的には、ダイクロイックミラー１２Ｂは、光Ｌ１のうちの青色（Ｂ；Blue）の光Ｌ１Ｂを選択的に反射させることにより反射ミラー１４を経由して色合成装置１５へ導くと共に、残りの光を選択的に透過させることによりダイクロイックミラー１２Ｇへ導くようになっている。また、ダイクロイックミラー１２Ｇは、ダイクロイックミラー１２Ｂを経由して導かれた光Ｌ１のうちの緑色（Ｇ；Green ）の光Ｌ１Ｇを選択的に反射させることにより色合成装置１５へ導くと共に、残りの光を選択的に透過させることにより反射ミラー１２Ｒへ導くようになっている。なお、反射ミラー１２Ｒは、ダイクロイックミラー１２Ｇを経由して導かれた光Ｌ１、すなわち赤色（Ｒ；Red ）の光Ｌ１Ｒを反射させることにより反射ミラー１３を経由して色合成装置１５へ導くようになっている。
【００２１】
色合成装置１５は、光源ユニット１０Ａから放出された光Ｌ１、より具体的には色の３原色に対応する上記した３色（Ｒ，Ｇ，Ｂ）の光Ｌ１Ｒ，Ｌ１Ｇ，Ｌ１Ｂを合成することにより映像用の光Ｌ２に変換するものである。この色合成装置１５は、例えば、反射ミラー１３、ダイクロイックミラー１２Ｇおよび反射ミラー１４にそれぞれ対応して配置された映像パターン形成用の３つの液晶パネル、すなわち液晶パネル１７Ｒ，１７Ｇ，１７Ｂと、これらの液晶パネル１７Ｒ，１７Ｇ，１７Ｂにより周囲を囲まれるように配置された色合成用の色合成プリズム（４Ｐプリズム）１８とを含んで構成されている。すなわち、色合成装置１５では、略立方体構造を有する色合成プリズム１８の前面に投射レンズ１６が対向配置されていると共に、残りの左側面、後面および右側面にそれぞれ液晶パネル１７Ｒ，１７Ｇ，１７Ｂが対向配置されている。
【００２２】
投射レンズ１６は、色合成装置１５において生成された映像用の光Ｌ２を投射することにより映像を表示するものである。筐体１に設けられた投射窓１Ｐは、投射レンズ１６の配設領域に対応して配置されている。
【００２３】
なお、光学ユニット１０Ｂは、例えば、上記した反射ミラー１２Ｒ，１３，１４、ダイクロイックミラー１２Ｇ，１２Ｂ、色合成装置１５および投射レンズ１６と共に、例えば、集光用のレンズ群や偏光用の偏光板などの図示しない他の構成要素も含んで構成されている。
【００２４】
排熱機構２０は、例えば、排熱口１Ｅを通じて光学機構１０において発生した熱を所定の排熱方向Ｄに向けて排熱する排熱ファン２１と、この排熱ファン２１と排熱口１Ｅとの間に配設され、光学機構１０において発生した熱を排熱口１Ｅへ導くための排熱ダクト２２と、光学機構１０において発生した熱の排熱経路を確保すると共に排熱方向Ｄから見たときに排熱口１Ｅを視覚的に塞ぐように排熱口１Ｅに配設された排熱板２３とを含んで構成されている。なお、排熱機構２０は、例えば、上記した排熱ファン２１、排熱ダクト２２および排熱板２３と共に、その排熱板２３を支持する後述する支持フレーム２４（図２〜図４参照）も併せて含んで構成されている。
【００２５】
排熱ファン２１は、例えば、軸流ファンにより構成されており、光源ユニット１０Ａ（光源１１）の配設領域に対応して配置されている。すなわち排熱ファン２１は、ファンの回転運動に基づく排熱（排気）作用、すなわち吸気側（光源１１に面する側）から排気側（排熱ダクト２２に面する側）へ熱を輸送する作用を利用して、光学機構１０において発生した熱を排熱ダクト２２を経由して排熱口１Ｅから筐体１の外部へ排熱するようになっている。
【００２６】
排熱ダクト２２は、例えば、プラスチックや金属などにより構成された筒状構造を有しており、ここでは円筒状構造を有している。この排熱ダクト２２の一端側には排熱ファン２１が取り付けられており、他端側は排熱口１Ｅと連通するように筐体１に連結されている。特に、排熱ダクト２２は、例えば、光源１１を排熱口１Ｅから十分に離間させることが可能な長さ（Ｙ軸方向の寸法）を有しているのが好ましく、より具体的には、光源１１において発生した光Ｌ１が意図せずに排熱口１Ｅから漏れることを抑制することが可能な十分な長さを有しているのが好ましい。
【００２７】
排熱板２３は、排熱口１Ｅを覆うための被覆部材であり、上記したように、光学機構１０において発生した熱の排熱経路を確保すると共に排熱方向Ｄから見たときに排熱口１Ｅを視覚的に塞ぐことが可能な特徴的な立体構造を有している。なお、排熱板２３および支持フレーム２４の詳細な構成については、後述する（図２〜図４参照）。
【００２８】
なお、表示装置は、上記した一連の構成要素と共に、図示しない他の構成要素も含んで構成されている。この「他の構成要素」としては、例えば、色合成装置１５を空冷するために空冷風を供給する空冷ファン（例えばシロッコファン）、この空冷ファンから供給される空冷風を色合成装置１５へ導くための空冷ダクト、光源ユニット１０Ａや光学ユニット１０Ｂを収納するための光学ケース、ならびに光源１１等を稼働させるための電源などが挙げられる。
【００２９】
次に、図１〜図４を参照して、排熱板２３の詳細な構成について説明する。図２〜図４は図１に示した排熱板２３の具体的な構成を拡大して表しており、図２は断面構成（ＸＹ面に沿った断面構成）を示し、図３は平面構成（Ｙ軸方向から見た平面構成）を示し、図４は斜視構成を示している。なお、図２〜図４では、排熱板２３の構成を説明するために、その排熱板２３と共に筐体１および排熱ダクト２２のそれぞれの一部を必要に応じて併せて示している。
【００３０】
排熱板２３は、例えば、図１〜図４に示したように、排熱方向Ｄに沿って互いに間隔を隔てて離間配置された２種類の排熱板、すなわち主排熱板２３Ａと、この主排熱板２３Ａに対応する箇所に光学機構１０において発生した熱Ｈの排熱経路（図２中に二点鎖線で表示）を確保するための開口が設けられていると共に、排熱方向Ｄにおいて主排熱板２３Ａに対してずれた位置にその排熱方向Ｄから見たときに主排熱板２３Ａと共に排熱口１Ｅを視覚的に塞ぐように配置された補助排熱板２３Ｂと含んで構成されている。ここでは、例えば、排熱板２３が、補助排熱板２３Ｂを複数含んで構成されており、具体的には２つの補助排熱板２３Ｂ１，２３Ｂ２を含んで構成されている。
【００３１】
主排熱板２３Ａは、例えば、排熱口１Ｅを含む面（ＸＺ面）内おいて、その排熱口１Ｅの中心に対応する位置に配置されている。また、主排熱板２３Ａは、例えば、排熱方向Ｄにおいて、排熱口１Ｅに対応する位置、すなわち排熱口１Ｅを構成する筐体１に対応する位置に配置されている。この排熱板２３Ａは、例えば、排熱口１Ｅの開口輪郭よりも小さい輪郭を有する円盤状構造を有している。
【００３２】
補助排熱板２３Ｂ１，２３Ｂ２は、互いに異なる大きさを有し、かつ主排熱板２３Ａに対応する箇所に互いに異なる大きさの開口２３Ｂ１Ｋ，２３Ｂ２Ｋがそれぞれ設けられていると共に、排熱方向Ｄにおいて互いにずれた位置に、その排熱方向Ｄから見たときに互いに組み合わされることにより主排熱板２３Ａと共に排熱口１Ｅを視覚的に塞ぐように配置されている。特に、補助排熱板２３Ｂ１，２３Ｂ２は、例えば、排熱方向Ｄにおいて主排熱板２３Ａに対して筐体１の内部側に後退して配置されている。ここでは、例えば、補助排熱板２３Ｂ１が主排熱板２３Ａの輪郭よりも大きい輪郭を有するリング状構造を有し、その補助排熱板２３Ｂ１に主排熱板２３Ａの輪郭よりも小さい開口輪郭を有する開口２３Ｂ１Ｋが設けられていると共に、補助排熱板２３Ｂ２が補助排熱板２３Ｂ１よりも大きく、かつ排熱口１Ｅの内径（排熱ダクト２２の内径）にほぼ等しい輪郭を有するリング状構造を有し、その補助排熱板２３Ｂ２に補助排熱板２３Ｂ１の輪郭よりも小さい開口輪郭を有する開口２３Ｂ２Ｋが設けられている。また、補助排熱板２３Ｂ１，２３Ｂ２は、例えば、上記したように、排熱方向Ｄにおいて主排熱板２３Ａに対して筐体１の内部側に後退している結果、排熱ダクト２２の内部に配置されている。
【００３３】
主排熱板２３Ａおよび補助排熱板２３Ｂ１，２３Ｂ２は、例えば、排熱方向Ｄにおいて筐体１の外部側から内部側へ向かって主排熱板２３Ａ、補助排熱板２３Ｂ１および補助排熱板２３Ｂ２の順に配置されている。これらの主排熱板２３Ａおよび補助排熱板２３Ｂ１，２３Ｂ２は、例えば、いずれも中央部分が部分的に窪み、具体的には中央部分が排熱方向Ｄにおいて部分的に後退するように湾曲した湾曲構造を有している。
【００３４】
特に、主排熱板２３Ａおよび補助排熱板２３Ｂ１，２３Ｂ２は、例えば、フレーム状構造を有する支持フレーム２４により支持されている。この支持フレーム２４は、例えば、複数の支持部が連結されることにより一体化された支持体であり、具体的には、延在方向Ｄに沿って延在する主支持部２４Ａと、その主支持部２４Ａの後端において３方向に放射状に分岐して延在する副支持部２４Ｂと、同様に主支持部２４Ａの途中においてそれぞれ３方向に放射状に分岐して延在する補助支持部２４Ｃ，２４Ｄとを含んで構成されている。なお、副支持部２４Ｂおよび補助支持部２４Ｃ，２４Ｄのそれぞれの放射方向（分岐方向）は、例えば、互いに同一である。
【００３５】
この支持フレーム２４を利用した主排熱板２３Ａおよび補助排熱板２３Ｂ１，２３Ｂ２の支持原理は、例えば、以下の通りである。すなわち、支持フレーム２４では、補助排熱板２３Ｂ１の開口２３Ｂ１Ｋおよび補助排熱板２３Ｂ２の開口２３Ｂ２Ｋの双方に挿通された主支持部２４Ａが一端部において主排熱板２３Ａに連結されていると共に、３本の副支持部２４Ｂが一端部において排熱ダクト２２に連結されており、さらに、３本の補助支持部２４Ｃが一端部において補助排熱板２３Ｂ１に連結されていると共に、同様に３本の補助支持部２４Ｄが一端部において補助排熱板２３Ｂ２に連結されている。これにより、上記した配置関係となるように支持フレーム２４により主排熱板２３Ａおよび補助排熱板２３Ｂ１、２３Ｂ２が支持されている。なお、図１では、支持フレーム２４の図示を省略している。
【００３６】
この排熱板２３（主排熱板２３Ａ，補助排熱板２３Ｂ１，２３Ｂ２）を含んで構成された排熱機構２０では、光学機構１０において発生した熱Ｈの排熱経路が排熱口１Ｅにおいて確保されており、具体的には、図１および図２に示したように、補助排熱板２３Ｂ１の開口２３Ｂ１Ｋおよび補助排熱板２３Ｂ２の開口２３Ｂ２Ｋの双方と共に、主排熱板２３Ａと補助排熱板２３Ｂ１との間の隙間および補助排熱板２３Ｂ１と補助排熱板２３Ｂ２との間の隙間の双方を経由することにより、最終的に排熱口１Ｅから熱Ｈが排熱される。
【００３７】
また、排熱機構２０では、排熱方向Ｄから見たときに排熱口１Ｅが排熱板２３（主排熱板２３Ａ，補助排熱板２３Ｂ１，２３Ｂ２）により視覚的に塞がれており、具体的には、図３に示したように、補助排熱板２３Ｂ２の開口２３Ｂ２Ｋに対応して補助排熱板２３Ｂ１が位置し、かつ補助排熱板２３Ｂ１の開口２３Ｂ１Ｋに対応して主排熱板２３Ａが位置しており、すなわち排熱方向Ｄから見たときに主排熱板２３Ａおよび補助排熱板２３Ｂ１，２３Ｂ２が互いに重なり合うように見えるため、排熱方向Ｄにおいてあたかも排熱口１Ｅが塞がれているように見える。
【００３８】
次に、図１〜図４を参照して、表示装置の動作について説明する。
【００３９】
この表示装置では、図１に示したように、筐体１の内部に収納された光学機構１０において、光源ユニット１０Ａの光源１１から光Ｌ１が放出されると、その光Ｌ１を光学機構１０Ｂが映像用の光Ｌ２に変換する。これにより、筐体１に設けられた投射窓１Ｐを通じて映像用の光Ｌ２がスクリーンに投射されるため、そのスクリーンに映像が表示される。
【００４０】
より具体的には、図１に示したように、光源１１が発光することにより白色の光Ｌ１が放出されると、その光Ｌ１が反射ミラー１２Ｒおよびダイクロイックミラー１２Ｇ，１２Ｂにおいて３色の光、すなわち反射ミラー１２Ｒを経由した赤色の光Ｌ１Ｒ、ダイクロイックミラー１２Ｇを経由した緑色の光Ｌ１Ｇ、ならびにダイクロイックミラー１２Ｂを経由した青色の光Ｌ１Ｂに分離されたのち、それらの光Ｌ１Ｒ，Ｌ１Ｇ，Ｌ１Ｂが３つの液晶パネル１７Ｒ，１７Ｇ，１７Ｂを経由して色合成プリズム１８に導かれることにより色合成されるため、色合成装置１５において白色の光Ｌ１が映像用の光Ｌ２に変換される。
【００４１】
特に、光源１１から光Ｌ１が放出される際には、その光源１１の発光現象に基づいて熱が発生するため、その熱に起因する不具合の発生を抑制するために、排熱機構２０が排熱口１Ｅを通じて筐体１の外部へ排熱する。
【００４２】
より具体的には、例えば、図１〜図４に示したように、光源１１の発光現象に基づいて熱Ｈ（図２において二点鎖線で表示）が発生すると、その熱Ｈが排熱ファン２１の排熱作用を利用して排熱ダクト２２へ誘導されるため、その熱Ｈが排熱口１Ｅを通じて筐体１の外部へ排熱される。すなわち、上記したように、補助排熱板２３Ｂ１の開口２３Ｂ１Ｋおよび補助排熱板２３Ｂ２の開口２３Ｂ２Ｋの双方と共に、主排熱板２３Ａと補助排熱板２３Ｂ１との間の隙間および補助排熱板２３Ｂ１と補助排熱板２３Ｂ２との間の隙間の双方に基づいて確保された排熱経路を経由して熱Ｈが排熱される。この場合には、特に、排熱方向Ｄから見たときに主排熱板２３Ａおよび補助排熱板２３Ｂ１，２３Ｂ２が排熱口１Ｅを視覚的に塞ぐように配置されており、すなわち主排熱板２３Ａおよび補助排熱板２３Ｂ１，２３Ｂ２が光漏れ防止用の遮光材および異物侵入防止用のフィルタとして機能するため、その排熱口１Ｅを経由して筐体１の内部に異物が侵入しにくくなると共に、同様に排熱口１Ｅを通じて筐体１の外部に光（例えば光Ｌ１）が漏れにくくなる。
【００４３】
本実施の形態に係る表示装置では、光学機構１０において発生した熱Ｈを排熱する排熱機構２０が、熱Ｈの排熱経路を確保すると共に排熱方向Ｄから見たときに排熱口１Ｅを視覚的に塞ぐように排熱口１Ｅに配設された排熱板２３（主排熱板２３Ａ，補助排熱板２３Ｂ１，２３Ｂ２）を含むようにしたので、図１〜図４を参照して説明したように、補助排熱板２３Ｂ１の開口２３Ｂ１Ｋおよび補助排熱板２３Ｂ２の開口２３Ｂ２Ｋの双方と共に、主排熱板２３Ａと補助排熱板２３Ｂ１との間の隙間および補助排熱板２３Ｂ１と補助排熱板２３Ｂ２との間の隙間の双方に基づいて熱Ｈの排熱経路（排熱面積）が確保されることに基づき、その熱Ｈの排熱量が確保される。より具体的には、例えば、主排熱板２３Ａおよび補助排熱板２３Ｂ１，２３Ｂ２間の隙間の間隔を十分に広げると共に、それらの補助排熱板２３Ｂ１，２３Ｂ２に設けられた開口２３Ｂ１Ｋ，２３Ｂ２Ｋの開口面積を十分に大きくすれば、格子窓状の配設窓を有していた従来の場合とは異なり、排熱口１Ｅを通じた排熱量が十分に増大する。また、同様に図１〜図４を参照して説明したように、排熱方向Ｄから見たときに排熱口１Ｅが主排熱板２３Ａおよび補助排熱板２３Ｂ１，２３Ｂ２により視覚的に塞がれることに基づき、排熱口１Ｅを経由して筐体１の内部に異物が侵入しにくくなると共に、排熱口１Ｅを通じて筐体１の外部に光が漏れにくくなる。より具体的には、例えば、主排熱板２３Ａおよび補助排熱板２３Ｂ１，２３Ｂ２間の重なり面積を十分に大きくすれば、格子窓状の排熱窓を有していた従来の場合とは異なり、排熱口１Ｅを経由した異物の侵入が十分に抑制されると共に、排熱口１Ｅを通じた光漏れが十分に抑制される。したがって、本実施の形態では、表示装置に関して排熱量の増大、異物の侵入抑制ならびに光漏れの抑制を併せて実現することができる。
【００４４】
特に、本実施の形態では、排熱方向Ｄから見たときに排熱口１Ｅを視覚的に塞ぐように主排熱板２３Ａおよび補助排熱板２３Ｂ１，２３Ｂ２が配設されている構造的特徴に基づき、格子窓状の排熱窓を有している構造的特徴に起因してユーザが排熱口を通じて筐体の内部を除きやすい従来の場合とは異なり、ユーザが排熱口１Ｅを通じて筐体１の内部を覗きにくくなる。したがって、技術的観点からユーザに表示装置の内部構造を除かれることを回避することができると共に、美観的観点から表示装置のデザイン性を向上させることができる。
【００４５】
また、本実施の形態では、図２および図４に示したように、主排熱板２３Ａおよび補助排熱板２３Ｂ１，２３Ｂ２が部分的に窪んだ湾曲構造を有するようにしたので、排熱ファン２１の排熱作用を利用して排熱口１Ｅから熱Ｈが排熱される際に、主排熱板２３Ａおよび補助排熱板２３Ｂ１，２３Ｂ２の湾曲面に沿って熱Ｈが排熱口１Ｅへ向けて誘導される。したがって、排熱口１Ｅ近傍に熱Ｈが滞留することが抑制されるため、その排熱口１Ｅを通じて熱Ｈを円滑に排熱することができる。
【００４６】
また、本実施の形態では、図１に示したように、光源１１を排熱口１Ｅから十分に離間させることが可能となるように排熱ダクト２２の長さを設定すれば、その光源１１が排熱口１Ｅから十分に遠ざかるため、光源１１と排熱口１Ｅとの間の距離的要因に基づいて排熱口１Ｅから光が漏れにくくなる。したがって、この観点においても光漏れの抑制に寄与することができる。この場合には、特に、上記したように光源１１を排熱口１Ｅから十分に離間させることが可能となるように排熱ダクト２２の長さを設定すれば、排気ファン２１も排熱口１Ｅから十分に遠ざかるため、排熱ファン２１と排熱口１Ｅとの間の距離的要因に基づいて排熱口１Ｅから排気ファン２１の稼働音が漏れにくくなる。したがって、表示装置の静音化を実現することもできる。
【００４７】
また、本実施の形態では、図１に示したように、排熱方向Ｄにおける排熱板２３（主排熱板２３Ａ，補助排熱板２３Ｂ１，２３Ｂ２）の配置位置に関して、主排熱板２３Ａが排熱口１Ｅに対応して位置すると共に、補助排熱板２３Ｂ１，２３Ｂ２が主排熱板２３Ａに対して筐体１の内部側に後退して位置するようにしたので、その排熱板２３が筐体１から突出しない。したがって、筐体１に突出部分を設けることなく排熱機構２０を表示装置に搭載させることが可能になるため、表示装置の小型化を図ることができると共に、その表示装置のデザイン性を向上させることができる。
【００４８】
なお、本実施の形態では、図２に示したように、主排熱板２３Ａが排熱口１Ｅに対応して位置すると共に、補助排熱板２３Ｂ１，２３Ｂ２が主排熱板２３Ａに対して筐体１の内部側に後退して位置するようにしたが、必ずしもこれに限られるものではなく、上記した排熱量の増大、異物の侵入抑制および光漏れの抑制を併せて実現することが可能な限り、デザインなどの観点に基づいて主排熱板２３Ａおよび補助排熱板２３Ｂ１，２３Ｂ２の配置位置は自由に変更可能である。
【００４９】
具体的には、例えば、図５に示したように、図２に示した排熱板２３（主排熱板２３Ａ，補助排熱板２３Ｂ１，２３Ｂ２）および支持フレーム２４（主支持部２４Ａ，副支持部２４Ｂ，補助支持部２４Ｃ，２４Ｄ）を含む構造一式を排熱方向Ｄに沿って筐体１の外部側にシフトさせることにより、主排熱板２３Ａが排熱方向Ｄにおいて排熱口１Ｅよりも筐体１の外部側に突出して位置すると共に、補助排熱板２３Ｂ２が排熱口１Ｅに対応して位置するようにしてもよい。この場合には、特に、排熱口１Ｅを通じて排熱される際に熱Ｈが比較的滞留しやすい領域（以下、単に「熱Ｈの滞留領域」という。）、すなわち主排熱板２３Ａおよび補助排熱板２３Ｂ１，２３Ｂ２間の隙間領域が筐体１の外部に位置することとなるため、その熱Ｈの滞留領域が筐体１の内部に位置している場合（図２参照）と比較して、熱Ｈの滞留現象に起因する熱溜りの発生を防止することができる。なぜなら、熱Ｈの滞留領域が筐体１の内部に位置している場合（図２参照）には、熱Ｈを排熱するために利用される作用が排熱ファン２１の排熱作用にほぼ限定されるが、熱Ｈの滞留領域が筐体１の外部に位置している場合（図５参照）には、熱Ｈを排出するために利用される作用として排熱ファン２１の排熱作用と共に、筐体１周辺の大気の対流作用も得られるからである。なお、図５に示した表示装置に関する上記以外の構成は、図２を参照して説明した場合と同様である。
【００５０】
また、本実施の形態では、図１〜図４に示したように、排熱板２３の構成に関して、（１）補助排熱板２３Ｂを２つ（補助排熱板２３Ｂ１，２３Ｂ２）含み、（２）主排熱板２３Ａおよび補助排熱板２３Ｂ１，２３Ｂ２がそれぞれ円形状構造またはリング状構造を有し、（３）主排熱板２３Ａおよび補助排熱板２３Ｂ１，２３Ｂ２がいずれも部分的に窪んだ湾曲構造を有し、（４）補助排熱板２３Ｂ１，２３Ｂ２にそれぞれ設けられた開口２３Ｂ１Ｋ，２３Ｂ２Ｋがいずれも円形状を有するようにしたが、必ずしもこれに限られるものではなく、例えば、補助排熱板２３Ｂの設置個数、排熱板２３（主排熱板２３Ａ，補助排熱板２３Ｂ１，２３Ｂ２）の外観構造、ならびに補助排熱板２３Ｂに設けられる開口の形状は、自由に変更可能である。
【００５１】
また、本実施の形態では、図２に示したように、主支持部２４Ａ，副支持２４Ｂおよび補助支持部２４Ｃ，２４Ｄを含んで構成された支持フレーム２４を使用し、その支持フレーム２４を排熱板２３（主排熱板２３Ａおよび補助排熱板２３Ｂ１，２３Ｂ２）および排熱ダクト２２の双方に連結させることにより、それらの主排熱板２３Ａおよび補助排熱板２３Ｂ１，２３Ｂ２を支持するようにしたが、必ずしもこれに限られるものではなく、例えば、支持フレーム２４を使用して排熱板２３（主排熱板２３Ａ，補助排熱板２３Ｂ１，２３Ｂ２）を安定に支持することが可能な限り、その支持フレーム２４の構成、ならびに主排熱板２３Ａおよび補助排熱板２３Ｂ１，２３Ｂ２の支持原理は自由に変更可能である。
【００５２】
［第２の実施の形態］
次に、本発明に係る第２の実施の形態について説明する。
【００５３】
図６および図７は本実施の形態に係る表示装置の主要部の断面構成（ＸＹ面に沿った断面構成）を表しており、図６は排熱板の移動後の状態を示し、図７は排熱板の移動前の状態を示している。これらの図６および図７は、いずれも上記第１の実施の形態において参照した図２に対応する断面構成を示している。なお、図６および図７では、上記第１の実施の形態において説明した構成要素と同一の要素に同一の符号を付している。
【００５４】
本実施の形態に係る表示装置は、排熱板２３（主排熱板２３Ａ，補助排熱板２３Ｂ１，２３Ｂ２）を支持するために支持フレーム２４を備え、その支持フレーム２４を利用して主排熱板２３Ａおよび補助排熱板２３Ｂ１，２３Ｂ２の配置関係を固定させていた上記第１の実施の形態とは異なり、その固定型の支持フレーム２４に代えて可動型の支持フレーム３４を備え、その支持フレーム３４を利用して主排熱板２３Ａおよび補助排熱板２３Ｂ１，２３Ｂ２の配置関係を可変可能であると共に、これらの主排熱板２３Ａおよび補助排熱板２３Ｂ１，２３Ｂ２の配置関係を可変可能とするために必要な他の構成要素（例えば、後述する制御機構４１，駆動機構４２，温度センサ４３）を併せて備えている点を除き、上記第１の実施の形態において説明した表示装置とほぼ同様の構成（図１〜図４参照）を有している。
【００５５】
本実施の形態の排熱機構２０は、例えば、図６および図７に示したように、排熱板２３（主排熱板２３Ａ，補助排熱板２３Ｂ１，２３Ｂ２）の配置関係を可変可能に支持する支持フレーム３４をを含んで構成されている。この支持フレーム３４は、例えば、複数の支持部が部分的に可変可能に連結されたものであり、具体的には、上記第１の実施の形態において説明した支持フレーム２４の構成部位、すなわち主支持部２４Ａ、副支持部２４Ｂおよび補助支持部２４Ｃ，２４Ｄにそれぞれ対応して同様の構成を有する主支持部３４Ａ、副支持部２４Ｂおよび補助支持部３４Ｃ，３４Ｄを含んで構成されている。
【００５６】
この支持フレーム３４を利用した主排熱板２３Ａおよび補助排熱板２３Ｂ１，２３Ｂ２の可変原理は、例えば、以下の通りである。すなわち、支持フレーム３４では、例えば、主支持部３４に排熱方向Ｄに沿って図示しないスライド用の溝が設けられており、その溝にスライド可能に補助支持部３４Ｃ，３４Ｄが取り付けられている。より具体的には、補助支持部３４Ｃ，３４Ｄは、上記したスライド機構を利用して、図６に示したように、主排熱板２３Ａおよび補助排熱板２３Ｂ１，２３Ｂ２を互いに離間させることにより熱Ｈの排熱経路が確保される可変位置（第１の位置）と、図７に示したように、主排熱板２３Ａおよび補助排熱板２３Ｂ１，２３Ｂ２を互いに接触させることにより熱Ｈの排熱経路が閉塞される初期位置（第２の位置）との間を移動することにより、それらの可変位置と初期位置との間において補助排熱板２３Ｂ１，２３Ｂ２を移動させるようになっている。なお、支持フレーム３４（主支持部３４Ａ，副支持部３４Ｂ，補助支持部３４Ｃ，３４Ｄ）による排熱板２３（主排熱板２３Ａ，補助排熱板２３Ｂ１，２３Ｂ２）の支持原理は、上記第１の実施の形態と同様である。
【００５７】
次に、図６〜図８を参照して、表示装置の詳細な構成について説明する。図８は、表示装置のブロック構成を表している。
【００５８】
この表示装置は、例えば、図８に示したように、支持フレーム３４を介して排熱板２３（補助排熱板２３Ｂ１，２３Ｂ２）を移動させるために必要な構成要素として、表示装置全体を制御する制御機構４１と、支持フレーム３４（補助支持部３４Ｃ，３４Ｄ）を移動させる駆動機構４２と、光学機構１０の温度を検出する温度センサ４３とを備えている。なお、図８では、上記した制御機構４１、駆動機構４２および温度センサ４３と共に、図６および図７に示した支持フレーム３４（補助支持部３４Ｃ，３４Ｄ）および排熱板２３（補助排熱板２３Ｂ１，２３Ｂ２）を併せて示している。
【００５９】
制御機構４１は、必要に応じて駆動機構４２を駆動させることにより、その駆動機構４２を介して支持フレーム３４を移動させるものであり、すなわち支持フレーム３４（補助支持部３４Ｃ，３４Ｄ）を介して排熱板２３（補助排熱板２３Ｂ１，２３Ｂ２）を移動させることにより、排熱口１Ｅの開閉（排熱口１Ｅを通じた排熱の可否）を切り替えるものである。この制御機構４１は、例えば、ＣＰＵ（Central Processing Unit ）などの制御デバイスやメモリなどの記憶デバイスを含んで構成されている。特に、制御機構４１は、例えば、温度センサ４３を利用して光学機構１０の温度、具体的には光源１１の周辺温度Ｔを検出し、その周辺温度Ｔに基づいて駆動機構４２を駆動させるようになっており、その駆動機構４２を駆動させる際の基準となる基準温度ＳＴをあらかじめ記憶している。なお、制御機構４１の処理動作の詳細については、後述する。
【００６０】
駆動機構４２は、排熱板２３（補助排熱板２３Ｂ１，２３Ｂ２）を移動させるために可変位置（図６参照）と初期位置（図７参照）との間において支持フレーム３４（補助支持部３４Ｃ，３４Ｄ）をスライドさせるものであり、例えば、モータなどの駆動デバイスを含んで構成されている。
【００６１】
温度センサ４３は、光源１１の周辺温度Ｔを検出するために使用されるものである。この温度センサ４３は、例えば、光源１１自体やその光源１１の周辺部材（例えば、筐体１や排熱ファン２２など）に取り付けられている。
【００６２】
次に、図１および図６〜図８を参照して、表示装置の動作について説明する。
【００６３】
この表示装置では、温度センサ４３において検出された光源１１の周辺温度Ｔに基づいて制御機構４１が光学機構１０（光源１１）の稼働状態を判断し、その制御機構４１が必要に応じて駆動機構４２を介して可変位置（図６参照）と初期位置（図７参照）との間において支持フレーム３４（補助支持部３４Ｃ，３４Ｄ）と共に排熱板２３（補助排熱板２３Ｂ１，２３Ｂ２）を併せて移動させることにより、排熱口１Ｅの開閉（排熱口１Ｅを通じた排熱の可否）を切り替えながら熱Ｈを排熱する。
【００６４】
より具体的には、制御機構４１は、例えば、周辺温度Ｔが基準温度ＳＴ以上である場合（Ｔ≧ＳＴ）には、光学機構１０が稼働しており、すなわち筐体１の内部に熱Ｈが過度に滞留し得る状況にあるため、その熱Ｈを排熱する必要があるものと判断し、図６に示したように、主排熱板２３Ａと補助排熱板２３Ｂ１，２３Ｂ２とを互いに離間させることにより熱Ｈの排熱経路が確保される（排熱口１Ｅが開放される）ように、駆動機構４２を介して支持フレーム３４（補助支持部３４Ｃ，３４Ｄ）を移動させる。この場合には、排熱口１Ｅが開放されることにより熱Ｈの排熱経路が確保されるため、その排熱口１Ｅを通じて熱Ｈを排熱可能となる。一方、制御機構４１は、例えば、周辺温度Ｔが基準温度ＳＴ未満である場合（Ｔ＜ＳＴ）には、光学機構１０が停止しており、すなわち筐体１の内部に熱Ｈが過度に滞留し得る状況にないため、その熱Ｈを排熱する必要がないものと判断し、図７に示したように、主排熱板２３Ａと補助排熱板２３Ｂ１，２３Ｂ２とを互いに接触させることにより熱Ｈの排熱経路が閉塞される（排熱口１Ｅが閉塞される）ように、駆動機構４２を介して支持フレーム３４（補助支持部３４Ｃ，３４Ｄ）を移動させる。この場合には、排熱口１Ｅが閉塞されることにより熱Ｈの排熱経路が遮断されるため、その排熱口１Ｅを経由して筐体１の内部へ異物が侵入しにくくなると共に、排熱口１Ｅを通じて光が漏れにくくなる。
【００６５】
なお、この表示装置に関する映像の表示機構は、上記第１の実施の形態と同様である。
【００６６】
本実施の形態に係る表示装置では、可変型の支持フレーム３４を備え、その支持フレーム３４（補助支持部３４Ｃ，３４Ｄ）を利用して可変位置と初期位置との間において排熱板２３（補助排熱板２３Ｂ１，２３Ｂ２）を移動させながら排熱口１Ｅの開閉を切り替えるようにしたので、図６および図７を参照して説明したように、主排熱板２３Ａと補助排熱板２３Ｂ１，２３Ｂ２とを互いに離間させることにより排熱口１Ｅが開放された状態（図６参照）において、その排熱口１Ｅを通じて熱Ｈを排熱可能になると共に、主排熱板２３Ａと補助排熱板２３Ｂ１，２３Ｂ２とを互いに接触させることにより排熱口１Ｅが閉塞された状態（図７参照）において、その排熱口１Ｅを通じて筐体１の内部へ異物が侵入することを防止可能になると共に、排熱口１Ｅを通じて光が漏れることを防止可能になる。したがって、本実施の形態では、上記第１の実施の形態と同様の作用により、表示装置に関して排熱量の増大、異物の侵入抑制ならびに光漏れの抑制を併せて実現することができる。この場合には、特に、排熱口１Ｅの閉塞時に異物の侵入をより効果的に抑制することができる。
【００６７】
また、本実施の形態では、温度センサ４３を利用して検出した光源１１の周辺温度Ｔに基づいて制御機構４１が光学機構１０の稼働状態を判断し、その制御機構４１が光学機構１０の稼働状態の判断結果に基づいて排熱口１Ｅの開閉を切り替えるようにしたので、周辺温度Ｔに基づいて光学機構１０の稼働状態を判断した上で、その表示装置の稼働時に自動的に排熱口１Ｅを通じて熱Ｈを排熱させることが可能となる。したがって、表示装置の稼働時のみに自動的に排熱口１Ｅを開放して排熱することが可能となる一方で、表示装置の停止時に自動的に排熱口１Ｅを閉鎖して異物の侵入を抑制することが可能となるため、排熱量の確保および異物の侵入抑制の双方の観点において表示装置の使用に際する利便性を向上させることができる。
【００６８】
また、本実施の形態では、図７に示したように、表示装置の停止時に排熱口１Ｅが閉塞されるようにしたので、その表示装置の停止時に排熱口１Ｅを通じて筐体１の内部を覗けなくなる。したがって、停止時に排熱口１Ｅを通じて筐体１の内部を覗けないように表示装置を設計可能となるため、その表示装置のデザイン性を向上させることができる。
【００６９】
なお、本実施の形態では、図８に示したように、光学機構１０の稼働状態に応じて排熱口１Ｅの開閉を切り替える上で、制御機構４１が温度センサ４３を利用して検出した光源１１の周辺温度Ｔに基づいて表示装置の稼働状態を判断するようにしたが、必ずしもこれに限られるものではなく、制御機構４１が上記した温度センサ４３以外の他のセンサを利用して表示装置の稼働状態を判断するようにしてもよい。具体的には、例えば、光源１１の周辺温度Ｔを検出する温度センサ４３に代えて、光源１１の周辺輝度を検出する輝度センサや光源１１の稼働状態を検出する稼働センサを備えるように表示装置を構成し、制御機構４１が上記した輝度センサや稼働センサを利用して表示装置の稼働状態を判断するようにしてもよい。いずれの場合においても、上記実施の形態と同様の効果を得ることができる。
【００７０】
また、本実施の形態では、制御機構４１の制御動作を利用して自動的に排熱口１Ｅを開閉可能なように支持フレーム３４（補助支持部３４Ｃ，３４Ｄ）および排熱板２３（補助排熱板２３Ｂ１，２３Ｂ２）を構成したが、必ずしもこれに限られるものではなく、例えば、制御機構４１の制御動作を利用せずに手動で排熱口１Ｅを開閉可能なように支持フレーム３４および排熱板２３を構成してもよい。この場合には、制御機構４１、駆動機構４２および温度センサ４３を備えないように表示装置を構成し、手動でのみ排熱口１Ｅの開閉を切り替え可能にしてもよいし、あるいは制御機構４１、駆動機構４２および温度センサ４３を備えるように表示装置を構成し、自動および手動の双方で排熱口１Ｅの開閉を切り替え可能にしてもよい。いずれの場合においても、上記実施の形態と同様の効果を得ることができる。
【００７１】
また、本実施の形態では、排熱口１Ｅを開閉可能にするために、排熱板２３のうちの主排熱板２３Ａを固定し、補助排熱板２３Ｂ１，２３Ｂ２を移動させるようにしたが、必ずしもこれに限られるものではなく、例えば、補助排熱板２３Ｂ２を固定し、主排熱板２３Ａおよび補助排熱板２３Ｂ１を移動させるようにしたり、補助排熱板２３Ｂ１を固定し、主排熱板２３Ａおよび補助排熱板２３Ｂ２を移動させるようにしたり、あるいは主排熱板２３Ａおよび補助排熱板２３Ｂ１，２３２の全てを移動させるようにしてもよい。これらのいずれの場合においても、上記実施の形態と同様の効果を得ることができる。
【００７２】
なお、本実施の形態に係る表示装置に関する上記以外の構成、機能、動作、作用、効果および変形は、上記第１の実施の形態と同様である。
【００７３】
以上、いくつかの実施の形態を挙げて本発明の表示装置を説明したが、本発明は上記各実施の形態に限定されず、それらの各実施の形態と同様の効果を得ることが可能な限りにおいて、本発明の表示装置の構成は自由に変形可能である。
【００７４】
また、上記各実施の形態では、本発明の表示装置をプロジェクタに適用する場合について説明したが、必ずしもこれに限られるものではなく、例えば、プロジェクタと同様に、発光現象に基づいて発熱する光源と共に排熱用の排熱機構を備えた他の機器に、本発明の表示装置を適用することが可能である。この他の機器に本発明の表示装置を適用した場合においても、上記各実施の形態と同様の効果を得ることができる。
【産業上の利用可能性】
【００７５】
本発明に係る表示装置は、映像表示用の光学機構に基づいて発生した熱を排熱する排熱機構を備えた例えばプロジェクタなどの表示装置に適用することが可能である。
【図面の簡単な説明】
【００７６】
【図１】本発明の第１の実施の形態に係る表示装置の断面構成（ＸＹ面に沿った断面構成）を模式的に表す断面図である。
【図２】図１に示した排熱板の断面構成（ＸＹ面に沿った断面構成）を拡大して表す断面図である。
【図３】図１に示した排熱板の平面構成（Ｙ軸方向から見た平面構成）を拡大して表す平面図である。
【図４】図１に示した排熱板の斜視構成を拡大して表す斜視図である。
【図５】図２に示した排熱構造の構成に関する変形例を表す断面図である。
【図６】本発明の第２の実施の形態に係る表示装置の主要部（排熱板）の移動後の状態の断面構成を表す断面図である。
【図７】図６に示した表示装置の主要部（排熱板）の移動前の状態の断面構成を表す断面図である。
【図８】本発明の第２の実施の形態に係る表示装置のブロック構成を表すブロック図である。
【符号の説明】
【００７７】
１…筐体、１Ｅ…排熱口、１Ｐ…投射窓、１０…光学機構、１０Ａ…光源ユニット、１０Ｂ…光学ユニット１０Ｂ、１１…光源、１２Ｂ，１２Ｇ…ダイクロイックミラー、１２Ｒ，１３，１４…反射ミラー、１５…色合成装置、１６…投射レンズ、１７Ｂ，１７Ｇ，１７Ｒ…液晶パネル、２０…排熱機構、２１…排熱ファン、２２…排熱ダクト、２３…排熱板、２３Ａ…主排熱板、２３Ｂ（２３Ｂ１，２３Ｂ２）…補助排熱板、２３Ｂ１Ｋ，２３Ｂ２Ｋ…開口、２４，３４…支持フレーム、２４Ａ，３４Ａ…主支持部、２４Ｂ，３４Ｂ…副支持部、２４Ｃ，２４Ｄ，３４Ｃ，３４Ｄ…補助支持部、４１…制御機構、４２…駆動機構、４３…温度センサ、Ｄ…排熱方向、Ｌ１…光、Ｌ１Ｂ…青色の光、Ｌ１Ｇ…緑色の光、Ｌ１Ｒ…赤色の光、Ｌ２…映像用の光、Ｈ…熱。
【図１】
2005338283.tif 000003
【図２】
2005338283.tif 000004
【図３】
2005338283.tif 000005
【図４】
2005338283.tif 000006
【図５】
2005338283.tif 000007
【図６】
2005338283.tif 000008
【図７】
2005338283.tif 000009
【図８】
2005338283.tif 000010